(57)【要約】【課題】  可動側翼板と固定側翼板の連結支持部にかかる負荷を分散させ、重量の重い扉にも使用できるコーナー部用抜差しヒンジを提供する。【解決手段】  固定側翼板２の上下端部に第１、第２の張出板部３、４を突設し、張出板部３に固定カム突起５を突設し、固定カム突起５のカム斜面６に開口した第１の垂直軸孔７を張出板部３と固定カム突起６に設け、第２の垂直軸孔８を張出板部４に設ける。可動側翼板１０の第３の垂直軸孔１１の下端拡大孔部１２に固定したカム従動体１３に、第４の垂直軸孔１４を設け、カム従動体１３にカム受孔１５を形成し、カム受孔１５の内底部にカム斜面１６を形成する。前記各垂直軸孔に軸棒１７を抜き取り可能に嵌挿して、可動側翼板１０を固定側翼板２に対して上下動及び回転可能に連結する。【選択図】  図７
2005314867.tif 000002
【特許請求の範囲】
【請求項１】
固定枠体１の正面コーナー部１ａに固着される固定側翼板２の下端部側面と上端部側面に第１の張出板部３と第２の張出板部４をそれぞれ水平に突設し、第１の張出板部３の上面側に固定カム突起５を垂直に突設し、固定カム突起５の上端部に垂直軸線に対して傾斜した上向きのカム斜面６を形成し、カム斜面６の中央部に開口した第１の垂直軸孔７を第１の張出板部３と固定カム突起６を貫通して設け、第１の垂直軸孔７に対面させて第２の垂直軸孔８を第２の張出板部４を貫通して設け、
扉９の一側の垂直端面９ａに固着される可動側翼板１０を貫通して第３の垂直軸孔１１を設け、第３の垂直軸孔１１の下端拡大孔部１２にカム従動体１３を嵌め込み固定し、カム従動体１３の中央部に第４の垂直軸孔１４を設け、カム従動体１３の下面側に固定カム突起５が嵌合されるカム受孔１５を第４の垂直軸孔１４と同心に形成し、カム受孔１５の内底部に垂直軸線に対して傾斜した下向きのカム斜面１６を形成し、
固定側翼板２の第２の垂直軸孔８、可動側翼板１０の第３の垂直軸孔１１、カム従動体１３の第４の垂直軸孔１４及び固定側翼板２の第１の垂直軸孔７に軸棒１７を抜き取り可能に嵌挿して、可動側翼板１０を固定側翼板２に対して上下動及び回転可能に連結し、軸棒１７の上端部の鍔部１８を第２の垂直軸孔８の上端拡大孔部１９に係合させて、軸棒１７の下方移動を阻止したコーナー部用抜差しヒンジ。
【発明の詳細な説明】
【技術分野】
【０００１】
本発明は、業務用冷凍・冷蔵庫や厨房機器等において、扉の一側の垂直端面と固定枠体の正面コーナー部の間に固着され、必要に応じて扉を固定枠体から取外すことができるコーナー部用抜差しヒンジに関する。
【背景技術】
【０００２】
固定枠体の正面コーナー部に固着される固定側翼板と、扉の一側の垂直端面に固着される可動側翼板と、固定側翼板の垂直軸孔の底部に設けられ、上面部にカム斜面を形成した固定カム体と、固定側翼板の垂直軸孔に旋回可能に嵌め込まれ、下面部に固定カム体のカム斜面に当接するカム斜面を形成したカム従動体と、カム従動体の中央部に貫通して固設され、可動側翼板の垂直軸孔に上部を挿入され、下部を固定カム体の垂直軸孔に旋回可能に挿入される軸棒とからなるコーナー部用抜差しヒンジは、既に知られている（特許文献１参照）。
【０００３】
このように従来のコーナー部用抜差しヒンジでは、扉の重量がかかる可動側翼板は、固定カム体とカム従動体を介して固定側翼板に載せられ、可動側翼板の垂直軸孔の下部に軸棒の上部が嵌め込まれている片持ちの支持構造になっており、抜差しを可能にするために可動側翼板の上部側は固定側翼板に全く拘束支持されていなかった。そのため、扉の重量が重いときには、可動側翼板と固定側翼板間の連結支持部には大きな負荷がかかり、曲げ強度やせん断強度において弱いものであった。
【０００４】
【特許文献１】特許第３３５６２６７号公報
【発明の開示】
【発明が解決しようとする課題】
【０００５】
本発明の課題は、必要に応じて軸棒を抜き取って可動側翼板を固定側翼板から分離できるとともに、可動側翼板と固定側翼板の連結支持部にかかる負荷を分散させて受止めるため、重量の重い扉にも支障なく使用することができるコーナー部用抜差しヒンジを提供することである。
【課題を解決するための手段】
【０００６】
本発明のコーナー部用抜差しヒンジにおいては、固定枠体１の正面コーナー部１ａに固着される固定側翼板２の下端部側面と上端部側面に第１の張出板部３と第２の張出板部４をそれぞれ水平に突設し、第１の張出板部３の上面側に固定カム突起５を垂直に突設し、固定カム突起５の上端部に垂直軸線に対して傾斜した上向きのカム斜面６を形成し、カム斜面６の中央部に開口した第１の垂直軸孔７を第１の張出板部３と固定カム突起６を貫通して設け、第１の垂直軸孔７に対面させて第２の垂直軸孔８を第２の張出板部４を貫通して設け、
扉９の一側の垂直端面９ａに固着される可動側翼板１０を貫通して第３の垂直軸孔１１を設け、第３の垂直軸孔１１の下端拡大孔部１２にカム従動体１３を嵌め込み固定し、カム従動体１３の中央部に第４の垂直軸孔１４を設け、カム従動体１３の下面側に固定カム突起５が嵌合されるカム受孔１５を第４の垂直軸孔１４と同心に形成し、カム受孔１５の内底部に垂直軸線に対して傾斜した下向きのカム斜面１６を形成し、
固定側翼板２の第２の垂直軸孔８、可動側翼板１０の第３の垂直軸孔１１、カム従動体１３の第４の垂直軸孔１４及び固定側翼板２の第１の垂直軸孔７に軸棒１７を抜き取り可能に嵌挿して、可動側翼板１０を固定側翼板２に対して上下動及び回転可能に連結し、軸棒１７の上端部の鍔部１８を第２の垂直軸孔８の上端拡大孔部１９に係合させて、軸棒１７の下方移動を阻止する。
【発明の効果】
【０００７】
本発明のコーナー部用抜差しヒンジでは、固定側翼板２の下端部側面と上端部側面に第１の張出板部３と第２の張出板部４をそれぞれ水平に突設し、第１の垂直軸孔７を第１の張出板部３と固定カム突起６に設け、第２の垂直軸孔８を第１の垂直軸孔７に対面させて第２の張出板部４に設け、可動側翼板１０の第３の垂直軸孔１１とカム従動体１３の第４の垂直軸孔１４に嵌挿した軸棒１７を、上端部において第１の垂直軸孔７に嵌め合せ、下端部において第１の垂直軸孔７に嵌め合せているので、固定側翼板２に対する可動側翼板１０の連結支持は、両持ちの支持構造になっている。そのため、重量の重い扉に使用しても、扉重量に起因する曲げ応力やせん断応力は分散して受け止められることになり、機械的強度の改善されたコーナー部用抜差しヒンジが得られる。
【実施例】
【０００８】
図１から図９に示した実施例では、金属製の固定側翼板２は背面視において縦長コ字状に形成され、縦長主体部には３個の固着孔２２を水平に設けてある。固定枠体１に対する固定側翼板２の装着は、可動側翼板１０を固定側翼板２に装着する前の段階において固着具２３によって行なわれる。固定カム突起５は、第１の張出板部３と一体に形成されている。なお、固定カム突起５は、固定側翼板２と別個に作製して、結合一体化してもよい。
金属製の可動側翼板１０には正面側に開口した縦長凹部２４を形成してあり、縦長凹部２４の底壁部には３個の固着孔２５を水平に長孔状に設けてある。扉９に対する可動側翼板１０の装着は、枢軸１７を可動側翼板１０に嵌挿する前の段階において固着具２６によって行なわれる。第３の垂直軸孔１１は、縦長凹部２４によって上下に分断されている。
【０００９】
金属製またはプラスチック製のカム従動体１３は、第３の垂直軸孔１１の下側部分に形成された下端拡大孔部１２に嵌め込まれ、カム従動体１３は可動側翼板１０に対して回転しないように固定されている。下端拡大孔部１２の内周段面２７は、カム従動体１３の外周肩面２８に載せられている。なお、カム従動体１３は、可動側翼板１０と一体に形成することもできる。
金属製の軸棒１７は、固定側翼板２の第１の張出板部３と第２の張出板部４との間の空間に可動側翼板１０を収容し、扉９を固定枠体１に対して適正位置に保持した状態で、固定側翼板２の第２の垂直軸孔８、可動側翼板１０の第３の垂直軸孔１１、カム従動体１３の第４の垂直軸孔１４及び固定側翼板２の第１の垂直軸孔７に対して順次に嵌挿させられる。
【００１０】
嵌挿の終端において軸棒１７の鍔部１８が第２の垂直軸孔８の上端拡大孔部１９に嵌め落とされ、上端拡大孔部１９の段差面２９に鍔部１８が当接することによって、軸棒１７の下方移動が阻止される。
固定カム突起５には、上向きのカム斜面６の上下各端に隣接して上位水平面部３０と下位水平面部３１が形成されている。カム従動体１３の内底部には、下向きのカム斜面の上下各端に隣接して上位水平面部３２と下位水平面部３３が形成されている。
可動側翼板１０の前記縦長凹部２４の開口部は、金属製またはプラスチック製のカバー板３４によって最後に閉塞される。カバー板３４は弾性爪板部３５を可動側翼板１０の受部３６に係合させることによって可動側翼板１０に保持されている。
【００１１】
図７及び図９に示したように扉９が閉鎖状態にあるときには、可動側翼板１０は最下降位置にあり、固定カム突起５の上向きのカム斜面６は、カム従動体１３の下向きのカム斜面１６と最も接近して対面しており、固定カム突起５側の上位水平面部３０には、カム従動体１３側の上位水平面部３２が載せられている。
この位置から枢軸１７の周りに扉９を開放方向に回転させると、前記上向きのカム斜面６と下向きのカム斜面１６との協働作用によって、可動側翼板１０は固定側翼板２に対して回転しながら上昇移動させられる。
【００１２】
扉９が所定角度まで開放回転させられたとき、カム従動体１３側の下位水平面部３３が固定カム突起５側の上位水平面部３０に載せられることによって、一定高さだけ迫り上げられた扉９は、当該開放位置に保持される。
扉９の閉鎖に当って、カム従動体１３側の下位水平面部３３が固定カム突起５側の上位水平面部３０から外れる位置まで扉９を押したときには、可動側翼板１０は扉９の重量の作用によって旋回しながら自動的に当初の閉鎖位置に戻される。
【００１３】
固定枠体１の点検修理等の必要性に応じて扉９を固定枠体１から取外したいときには、固定側翼板２の第１の垂直軸孔７の下面開口側から適当な操作部材を挿入して、軸棒１７を押し上げる。軸棒１７の鍔部１８が第２の垂直軸孔８の上端拡大孔部１９から浮き出た後は、その鍔部１８を摘まんで軸棒１７を固定側翼板２の第１の垂直軸孔７、カム従動体１３の第４の垂直軸孔１４、可動側翼板１０の第３の垂直軸孔１１そして固定側翼板２の第２の垂直軸孔８から引き抜く。この引き抜き操作によって、可動側翼板２は固定側翼板２との連結を解除され、扉９は固定枠体１から分離される。
【００１４】
図示の実施例では、軸棒１７の上方部分であって、固定側翼板２の第２の張出板部４の下面側に突出する部位には、周面溝２０を環状に形成してあり、この周面溝２０には、バネクリップやＥ−リングといった弾性変形するストッパー部材２１が装着されており、このストッパー部材２１によってを軸棒１７の上方移動が阻止されている。上記のように扉９を固定枠体１から取外したいときには、最初にストッパー部材２１が弾性変形させられた前記周面溝２０から取外される。
【図面の簡単な説明】
【００１５】
【図１】本発明の一実施例に係るコーナー部用抜差しヒンジの正面図である。
【図２】図１の抜差しヒンジの左側面図である。
【図３】図１の抜差しヒンジの右側面図である。
【図４】図１の抜差しヒンジの背面図である。
【図５】図１の抜差しヒンジの平面図である。
【図６】図１の抜差しヒンジの底面図である。
【図７】図５のＡ−Ａ線断面図である。
【図８】図１のＢ−Ｂ線断面図である。
【図９】図１の抜差しヒンジの使用状態を示す平面図である。
【符号の説明】
【００１６】
１    固定枠体
２    固定側翼板
３    第１の張出板部
４    第２の張出板部
５    固定カム突起
６    上向きのカム斜面
７    第１の垂直軸孔
８    第２の垂直軸孔
９    扉
１０  可動側翼板
１１  第３の垂直軸孔
１２  下端拡大孔部
１３  カム従動体
１４  第４の垂直軸孔
１５  カム受孔
１６  下向きのカム斜面
１７  軸棒
１８  鍔部
１９  上端拡大孔部
２０  周面溝
２１  ストッパー部材
【図１】
2005314867.tif 000003
【図２】
2005314867.tif 000004
【図３】
2005314867.tif 000005
【図４】
2005314867.tif 000006
【図５】
2005314867.tif 000007
【図６】
2005314867.tif 000008
【図７】
2005314867.tif 000009
【図８】
2005314867.tif 000010
【図９】
2005314867.tif 000011